(57)【特許請求の範囲】
【請求項１】
少なくとも１つの着色剤とベヒクルとを含むインクジェットインク組成物であって、前記ベヒクルが式
【化４】
0003723160.tif 000010
〔式中、ｎは１と６の間の整数であり、Ｒ１はメチレンホスホン酸基であり、Ｒ２、Ｒ３、Ｒ４及びＲ５は各々、他から独立して、水素、ヒドロキシル基、アルキル基、アリール基であるか、又はアルキル基、アリール基、ヒドロキシル基、ホスホン酸基、エーテル基、エステル基から成る群から選択される置換基を有する置換アルキル又はアリール基、及びそれらの混合物とすることができる〕の有機ホスホン酸を含む、インクジェットインク組成物。
【請求項２】
前記有機ホスホン酸が、ジエチレントリアミンペンタ（メチレンホスホン酸）であり、且つ０．５ｗｔ％〜２０ｗｔ％の濃度を有する、請求項１に記載のインクジェットインク組成物。
【請求項３】
前記インク組成物のｐＨが、２〜１０である、請求項１に記載のインクジェットインク組成物。
【請求項４】
前記ベヒクルが、さらに、０〜１０ｗｔ％の界面活性剤と、０．１〜４０ｗｔ％の有機共溶媒とを含む、請求項１に記載のインクジェットインク組成物。
【発明の詳細な説明】
【０００１】
【発明の属する技術分野】
本発明は、インクジェットプリンティングのためのインク組成物に関し、特に、有機ホスホン酸とそれらの塩を含むインク組成物に関する。
【０００２】
【発明の背景】
インクジェットプリンティングプロセスは、マイクロプロセッサによって生成された電気信号に応答して紙等のプリント媒体上へのインクの微小液滴の噴射を伴うものである。典型的には、インクジェットプリンタは、プリント媒体の表面に相対して移動するカートリッジに搭載されたペンセットを利用する。ヒューレット・パッカード・カンパニーより提供されているＤＥＳＫＪＥＴ（登録商標）プリンタ等、市販のインクジェットカラープリンタにおいて、典型的なペンは、インク液滴がそれを通して噴射される極小のノズル群（直径１０〜５０μｍ）を有するオリフィスプレートを備えたプリントヘッドを具備する。これらのノズルに隣接して、噴射に先立ちインクを格納するインクチャンバがある。インク滴の噴射は、現在は、熱式もしくは圧電式の何れかの方式で達成される。熱式インクジェットプリンティングでは、各ノズルは抵抗体素子と組み合わされている。各抵抗体素子がまた、マイクロプロセッサに接続されていて、その信号が１または２以上の抵抗体素子を急速に昇温させるよう指示する。これによってインク蒸気の急速膨張が起こり、組み合わされたノズルを通してインク滴をプリント媒体上へ押し出すのである。
【０００３】
インクとペン構造（例えば、抵抗体素子、ノズル、等）の間の様々な複合相互作用は、ペン性能及び従ってプリント品質の短期的及び長期的な信頼性に影響を与えることが知られている。これらの相互作用の例としては、インク組成物中の金属イオン不純物又はその他の反応性成分の存在に起因する腐食；抵抗体素子表面上の残留物の沈着として定義される、コゲーション（ｋｏｇａｔｉｏｎ）；プリントヘッドのオリフィスプレート上のインク溜まりの形成として定義される、パドリング（ｐｕｄｄｌｉｎｇ）；及びプリントヘッドのオリフィスプレート上の不溶性クラストの形成として定義される、クラスト形成（ｃｒｕｓｔｉｎｇ）が含まれる。
【０００４】
インクジェットプリンティングにとっては、与えられた液滴容積に対して大きいドット面積をもたらすという理由から高ドットゲインインクが望ましい。その主なる利点は、特定のプリント用途に対して少な目の液滴容積が使え、その結果、複写当たりのコストが比較的低減され、普通紙のしわが少なくなり且つ透明紙上のインク量が低減されることになる。ほとんどの高ドットゲインインクは低表面張力を有しており、これがインクをプリントヘッドのオリフィス板にわたって拡散させて、いわゆる「パドリング」を形成する。インク液滴は、その溜まりを通して発射しなければならず、そのため、液滴の方向ミス及び画像の縞を生ずることになり、そして、プリントヘッドの信頼性を落とし且つプリント品質の低下を招来することになる。
【０００５】
パドリングを処理する幾つかの方法が当分野で知られている。例えば、インクの特性を調節するための界面活性剤の使用（米国特許第５，６５６，６５５号）、改良されたオリフィス板の設計（米国特許第５，５９５，７８５号及び米国特許第５，４３４，６０６号）、インクチャンネル形状の改良設計（米国特許第５，７５５，０３２号及び米国特許第５，２７４，４００号）、及び、最後に、溜まりを洗浄するのにより効果的な拭き取りシステム（米国特許第５，７８６，８３０号）。幾つかの場合、プリント品質に及ぼす界面活性剤の悪影響のため、界面活性剤の付加は選択されない。機械的な拭き取り及び設計変更は、しばしば、不十分な上、プリンタのコストをかなりアップすることがある。
【０００６】
【発明が解決しようとする課題】
従って、大ドットサイズ及び高画像品質を維持するべく、パドリングを制御し且つしかもペン構造の諸成分との、特に、意図されたプリント媒体（例えば、紙）との、最適の相互作用を示すところのインクジェットプリンタ用インク組成物を作り出す手段に対する要望は、当分野に存在するのである。
【０００７】
【課題を解決するための手段】
本発明は、インクジェットインク組成物を提供する。当該組成物は、少なくとも１つの着色剤とベヒクルを含む。当該ベヒクルは、少なくとも１つの有機ホスホン酸又は前記酸のナトリウム又はカリウム塩を含む（以下の文書で、有機ホスホン酸を引用する時は、ホスホン酸とその塩とを意味する）。当該ベヒクルは、２またそれ以上の有機ホスホン酸の混合物を含んでいてもよい。当該有機ホスホン酸は、単官能又は多官能性であってよい。好ましくは、当該有機ホスホン酸は多官能性である。有機ホスホン酸の濃度は、約０．０５〜約１０ｗｔ％であってよい。当該有機ホスホン酸は、下記の一般式であってよい。
【０００８】
【化５】
0003723160.tif 000002
【０００９】
式中、Ｒ１はホスホン酸基であり、そしてＲ２、Ｒ３及びＲ４は、各々、他から独立して、水素、ヒドロキシル基、ホスホン酸基、アルキル基、アリール基、又はアルキル基、アリール基、ヒドロキシル基、ホスホン酸基、エーテル基、エステル基から成る群から選択された置換基を有する置換アルキル又はアリール基、及びそれらの混合物であってよい。好ましくは、Ｒ２はホスホン酸基である。より好ましくは、Ｒ２はホスホン酸基であり、Ｒ３はメチル基であり、Ｒ４はヒドロキシル基でありそして有機ホスホン酸はヒドロキシエチレンジ（ホスホン酸）（ＨＥＤＰ）である。
【００１０】
当該有機ホスホン酸は、下記の一般式であってよい。
【００１１】
【化６】
0003723160.tif 000003
【００１２】
式中、Ｒ１はメチレンホスホン酸基であり、そしてＲ２及びＲ３は、各々、他から独立して、水素、ヒドロキシル基、アルキル基、アリール基、又はアルキル基、アリール基、ヒドロキシル基、ホスホン酸基、エーテル基、エステル基から成る群から選択された置換基を有する置換アルキル又はアリール基、及びそれらの混合物であってよい。好ましくは、Ｒ２はメチレンホスホン酸基である。より好ましくは、Ｒ２及びＲ３はメチレンホスホン酸基でありそして有機ホスホン酸はアミノトリ（メチレンホスホン酸）（ＡＴＭＰ）である。
【００１３】
当該有機ホスホン酸は、下記の一般式であってよい。
【００１４】
【化７】
0003723160.tif 000004
【００１５】
式中、ｎは１と６の間の整数であり、Ｒ１はメチレンホスホン酸基であり、そしてＲ２、Ｒ３及びＲ４は、各々、他から独立して、水素、ヒドロキシル基、アルキル基、アリール基、又はアルキル基、アリール基、ヒドロキシル基、ホスホン酸基、エーテル基、エステル基から成る群から選択された置換基を有する置換アルキル又はアリール基、及びそれらの混合物であってよい。好ましくは、Ｒ２、Ｒ３及びＲ４は、メチレンホスホン酸基である。好ましくは、ｎ＝２且つ有機ホスホン酸はエチレンジアミンテトラ（メチレンホスホン酸）（ＥＤＴＭＰ）であるか、又はｎ＝６且つ有機ホスホン酸はヘキサメチレンジアミンテトラ（メチレンホスホン酸）（ＨＤＴＭＰ）である。
【００１６】
有機ホスホン酸は、下記の一般式であってよい。
【００１７】
【化８】
0003723160.tif 000005
【００１８】
式中、ｎは１と６の間の整数であり、Ｒ１はメチレンホスホン酸基であり、そしてＲ２、Ｒ３、Ｒ４及びＲ５は、各々、他から独立して、水素、ヒドロキシル基、アルキル基、アリール基、又はアルキル基、アリール基、ヒドロキシル基、ホスホン酸基、エーテル基、エステル基から成る群から選択された置換基を有する置換アルキル又はアリール基、及びそれらの混合物であってよい。好ましくは、Ｒ２、Ｒ３、Ｒ４及びＲ５は、メチレンホスホン酸基である。好ましくは、ｎ＝２、且つ有機ホスホン酸はジエチレントリアミンペンタ（メチレンホスホン酸）（ＤＴＰＭＰ）である。
【００１９】
当該ベヒクルは、さらに、約０〜約１０ｗｔ％の界面活性剤と，約０．１〜約４０ｗｔ％の有機共溶媒を含んでいてもよい。そのインク組成物のｐＨは約２〜約１０であってよい。
【００２０】
【発明の実施の形態】
これより、本発明のインクジェットインク組成物の一定の好ましい実施態様を特に参照して説明する。
【００２１】
インク組成物の典型的な実施態様は、（全てのパーセントは別途指示がない限り重量パーセントである）０．１〜４０ｗｔ％の、好ましくは、５〜２５ｗｔ％の有機共溶媒と；０〜１０ｗｔ％の、好ましくは、０．１−５ｗｔ％の界面活性剤と；０．５〜１０ｗｔ％の、好ましくは、０．５〜５ｗｔ％の着色剤と；そして０．０５〜２０ｗｔ％の、好ましくは、０．１〜１０ｗｔ％の有機ホスホン酸とを含む。インク組成物の残余は、ほとんど水である；しかし、（Ａｖｅｃｉａ社から入手可能な）防腐剤ＰＲＯＸＥＬ（商標）ＧＸＬのような微生物の成長を阻害する殺生物剤；重金属不純物の有害な影響を排除するＥＤＴＡのようなキレート化剤類；緩衝剤類；及び粘度修正剤類を含むその他の成分を添加してインク組成物の各種特性を改善することもできる。
【００２２】
有機共溶媒
１つ以上の有機共溶媒を用いて本発明のインク組成物を調製することができる。好ましい実施態様では、その有機共溶媒は水溶性である。インクジェットプリント用として知られている水溶性有機共溶媒の多くは、本発明の実施に用いることができる。説明だけの目的で、且つ限定のためではなく、この目的に向く代表的な水溶性有機共溶媒の幾つかを以下に説明する。
【００２３】
代表的な水溶性有機共溶媒には、限定するものではないが、脂肪族アルコール、芳香族アルコール、ジオール、トリオール、アミド、ケトン、ポリケトン又はケトアルコール、窒素含有ヘテロ環式ケトン、エーテル、グリコールエーテル、ポリグリコールエーテル、アルキレングリコール、ポリアルキレングリコール、アルキレン基含有チオグリコール、多価アルコールの比較的低アルキルエーテル及びラクタムが含まれる。
【００２４】
当該有機共溶媒の濃度は、０．１〜４０ｗｔ％の、好ましくは、５〜２５ｗｔ％の範囲にあってよい。
【００２５】
界面活性剤
１つ以上の水溶性界面活性剤を当該インクのベヒクルの調合に用いてよい。インクジェットプリント用として知られている水溶性界面活性剤の多くは、本発明の実施に用いることができる。説明だけの目的で、且つ限定のためではなく、この目的に向く代表的な水溶性界面活性剤の幾つかを以下に説明する。
【００２６】
便宜上、界面活性剤の例を２つのカテゴリ：（１）非イオン性及び両性と（２）イオン性に分ける。前者の種類は、Ｕｎｉｏｎ  Ｃａｒｂｉｄｅ  Ｃｏｒｐｏｒａｔｉｏｎ及びＩＣＩ  Ｇｒｏｕｐから、それぞれ、市販されているアルキルポリエチレンオキシド（ＰＯＥ）のＴＥＲＧＩＴＯＬ（商標）及びＢＲＩＪ（商標）系列；ＤｕＰｏｎｔ  Ｃｏｒｐｏｒａｔｉｏｎから入手できる、フルオロ界面活性剤のＺＯＮＹＬ（商標）系列の一定部類；３Ｍ社から市販のフッ素化アルキルエステルのＦＬＵＯＲＡＤ（商標）系列；Ｕｎｉｏｎ  Ｃａｒｂｉｄｅ  Ｃｏｒｐｏｒａｔｉｏｎから市販のアルキルフェニルＰＯＥのＴＲＩＴＯＮ（商標）系列；ＢＡＳＦ  Ｃｏｒｐｏｒａｔｉｏｎから市販のエチレンオキシド／プロピレンオキシドブロック共重合体のＦＬＵＲＯＮＩＣ（商標）系列；Ａｉｒ  Ｐｒｏｄｕｃｔｓ  Ｉｎｃｏｒｐｏｒａｔｅｄから市販のアセチレンＰＯＥのＳＵＲＦＹＮＯＬ（商標）系列；ＰＯＥエステル；ＰＯＥジエステル；ＰＯＥアミン；及びＰＯＥアミド類を含む。（本書に参考として引用した）米国特許第５，１０６，４１６号は、上に挙げた界面活性剤の多くをより詳細に議論している。置換アミンオキシド又はＭｃＩｎｔｙｒｅ  Ｇｒｏｕｐから市販のオクチルアミンクロロ酢酸アダクトのＭＡＣＫＡＭ（商標）系列の部類のような両性界面活性剤も本発明の実施において有用である。プロトン化ＰＯＥアミン類のようなカチオン界面活性剤、及びＤｏｗ  Ｃｈｅｍｉｃａｌ  Ｃｏｍｐａｎｙから市販のスルホン酸ジフェニル誘導体のＤＯＷＦＡＸ（商標）系列、及びＣｒｏｄａ  Ｉｎｃｏｒｐｏｒａｔｅｄから市販のエトキシル化オレオアルコールリン酸エステルのＣＲＯＤＡＦＯＳ（商標）系列の部類のようなアニオン界面活性剤も用いることができる。
【００２７】
本発明のインク組成物は、０〜１０ｗｔ％の、好ましくは、０〜５ｗｔ％の、界面活性剤を含む。
【００２８】
着色剤
当該インク組成物には、１つ以上の着色剤、典型的には、染料又は顔料を用いてよい。染料又は顔料は、非イオン性、カチオン、アニオン、又はそれらの混合物であってよい。インクジェットプリント用として知られているカラー染料又は顔料はどれも本発明の実施に用いることができる。説明だけの目的で、且つ限定のためではなく、この目的に向く代表的な着色剤の幾つかを以下に説明する。
【００２９】
本発明に向く適当な着色剤は、限定するものではないが、Ｒｅａｃｔｉｖｅ  Ｒｅｄ  １８０、Ｄｉｒｅｃｔ  Ｂｌｕｅ  ８６、Ｄｉｒｅｃｔ  Ｂｌｕｅ  １９９、Ｄｉｒｅｃｔ  Ｙｅｌｌｏｗ  １３２、Ａｃｉｄ  Ｙｅｌｌｏｗ  １３２、Ｄｉｒｅｃｔ  Ｒｅｄ  ９、Ｄｉｒｅｃｔ  Ｒｅｄ  ３２、Ａｃｉｄ  Ｙｅｌｌｏｗ  ２３、Ａｃｉｄ  Ｂｌｕｅ  １８５、Ａｃｉｄ  Ｂｌｕｅ  ９、Ａｃｉｄ  Ｒｅｄ  １７、Ａｃｉｄ  Ｒｅｄ  ５２、及びＡｃｉｄ  Ｒｅｄ  ２４９のような水性染料を含む。
【００３０】
本発明に向く適当な着色剤は、限定するものではないが、ＢＡＳＦ  Ｃｏｒｐｏｒａｔｉｏｎから市販のＰＡＬＩＯＧＥＮ（商標）及びＨＥＬＩＯＧＥＮ（商標）顔料系列；Ｃｉｂａ  Ｓｐｅｃｉａｌｉｔｙ  Ｃｈｅｍｉｃａｌｓ  Ｃｏｒｐｏｒａｔｉｏｎから市販のＣＨＲＯＭＯＰＨＴＡＬ（商標）及びＭＯＮＡＳＴＲＡＬ（商標）顔料系列；ＤｕＰｏｎｔ  Ｃｏｒｐｏｒａｔｉｏｎから市販の二酸化チタン顔料のＴＩ−ＰＵＲＥ（商標）系列；Ｃａｂｏｔ  ＣｏｒｐｏｒａｔｉｏｎからのＭＯＮＡＲＣＨ（商標）顔料系列；及びＣｌａｒｉａｎｔ  Ｃｏｒｐｏｒａｔｉｏｎから市販のＮＯＶＯＰＥＲＭ（商標）、ＨＡＮＳＡ（商標）及びＨＯＳＴＡＰＥＲＭ（商標）顔料系列を含む。
【００３１】
本発明のインク組成物は、０．５〜１０ｗｔ％の、好ましくは、０．５〜５ｗｔ％の、着色剤を含む。
【００３２】
有機ホスホン酸
本発明のインク組成物に１又は２以上の有機ホスホン酸を含有させてよい。当該有機ホスホン酸は、単官能又は多官能性であってよい。好ましくは、当該有機ホスホン酸は多官能性である。適当な有機ホスホン酸の例には、下記一般式の有機ホスホン酸を含む。
【００３３】
【化９】
0003723160.tif 000006
【００３４】
式中、Ｒ１はホスホン酸基であり、そしてＲ２、Ｒ３及びＲ４は、各々、他から独立して、水素、ヒドロキシル基、ホスホン酸基、アルキル基、アリール基、又はアルキル基、アリール基、ヒドロキシル基、ホスホン酸基、エーテル基、エステル基から成る群から選択された置換基を有する置換アルキル又はアリール基、及びそれらの混合物であってよい。１実施態様においては、Ｒ２はホスホン酸基である。好ましい実施態様では、Ｒ２はホスホン酸基であり、Ｒ３はメチル基であり、Ｒ４はヒドロキシル基でありそして有機ホスホン酸は、ヒドロキシエチレンジ（ホスホン酸）（Ｓｏｌｕｔｉａ  ＩｎｃｏｒｐｏｒａｔｅｄからＤＥＱＵＥＳＴ（商標）２０１０として又はＡｌｂｒｉｇｈｔ  ＆  Ｗｉｌｓｏｎ  Ａｍｅｒｉｃａｓ  ＩｎｃｏｒｐｏｒａｔｅｄからＢＲＩＱＵＥＳＴ（商標）ＡＤＰＡ−６０ＡＷとして市販されている、ＨＥＤＰ）である。
【００３５】
本発明に従って用いてもよい有機ホスホン酸の他の例には、下記一般式の有機ホスホン酸が含まれる。
【００３６】
【化１０】
0003723160.tif 000007
【００３７】
式中、Ｒ１はメチレンホスホン酸基であり、そしてＲ２及びＲ３は、各々、他から独立して、水素、ヒドロキシル基、アルキル基、アリール基、又はアルキル基、アリール基、ヒドロキシル基、ホスホン酸基、エーテル基、エステル基から成る群から選択された置換基を有する置換アルキル又はアリール基、及びそれらの混合物であってよい。１実施態様では、Ｒ２はメチレンホスホン酸基である。好ましい実施態様では、Ｒ２及びＲ３はメチレンホスホン酸基でありそして有機ホスホン酸はアミノトリ（メチレンホスホン酸）（Ｓｏｌｕｔｉａ  ＩｎｃｏｒｐｏｒａｔｅｄからＤＥＱＵＥＳＴ（商標）２０００ＬＣとして又はＡｌｂｒｉｇｈｔ  ＆  Ｗｉｌｓｏｎ  Ａｍｅｒｉｃａｓ  ＩｎｃｏｒｐｏｒａｔｅｄからＢＲＩＱＵＥＳＴ（商標）３０１−５０Ａとして市販されている、ＡＴＭＰ）である。
【００３８】
本発明に従って用いてもよい有機ホスホン酸のさらに別の例には、下記一般式の有機ホスホン酸が含まれる。
【００３９】
【化１１】
0003723160.tif 000008
【００４０】
式中、ｎは１と６の間の整数であり、Ｒ１はメチレンホスホン酸基であり、そしてＲ２、Ｒ３及びＲ４は、各々、他から独立して、水素、ヒドロキシル基、アルキル基、アリール基、又はアルキル基、アリール基、ヒドロキシル基、ホスホン酸基、エーテル基、エステル基から成る群から選択された置換基を有する置換アルキル又はアリール基、及びそれらの混合物であってよい。１実施態様では、Ｒ２はメチレンホスホン酸基である。別の実施態様では、Ｒ２及びＲ３はメチレンホスホン酸基である。さらに別の実施態様では、Ｒ２、Ｒ３及びＲ４は、メチレンホスホン酸基である。さらに別の好ましい実施態様では、ｎ＝６且つ有機ホスホン酸はエチレンジアミンテトラ（メチレンホスホン酸）（Ｓｏｌｕｔｉａ  ＩｎｃｏｒｐｏｒａｔｅｄからＤＥＱＵＥＳＴ（商標）２０５４として、又はＡｌｂｒｉｇｈｔ  ＆  Ｗｉｌｓｏｎ  Ａｍｅｒｉｃａｓ  ＩｎｃｏｒｐｏｒａｔｅｄからＢＲＩＱＵＥＳＴ（商標）４６２−２３として市販されている、ＨＤＴＭＰ）である。
【００４１】
本発明に従って用いてもよい有機ホスホン酸のさらに他の例には、下記一般式の有機ホスホン酸が含まれる。
【００４２】
【化１２】
0003723160.tif 000009
【００４３】
式中、ｎは１と６の間の整数であり、Ｒ１はメチレンホスホン酸基であり、そしてＲ２、Ｒ３、Ｒ４及びＲ５は、各々、他から独立して、水素、ヒドロキシル基、アルキル基、アリール基、又はアルキル基、アリール基、ヒドロキシル基、ホスホン酸基、エーテル基、エステル基から成る群から選択された置換基を有する置換アルキル又はアリール基、及びそれらの混合物であってよい。１実施要用では、Ｒ２はメチレンホスホン酸基である。別の実施態様では、Ｒ２及びＲ３はメチレンホスホン酸基である。さらに別の実施態様では、Ｒ２、Ｒ３及びＲ４は、及びＲ４は、メチレンホスホン酸基である。さらに別の実施態様では、Ｒ２、Ｒ３、Ｒ４及びＲ５は、メチレンホスホン酸基である。好ましい実施態様では、ｎ＝２且つ有機ホスホン酸はジエチレントリアミンペンタ（メチレンホスホン酸）（Ｓｏｌｕｔｉａ  ＩｎｃｏｒｐｏｒａｔｅｄからＤＥＱＵＥＳＴ（商標）２０６０Ｓとして又はＡｌｂｒｉｇｈｔ  ＆  Ｗｉｌｓｏｎ  Ａｍｅｒｉｃａｓ  ＩｎｃｏｒｐｏｒａｔｅｄからＢＲＩＱＵＥＳＴ（商標）５４３−４５ＡＳとして市販されている、ＤＴＰＭＰ）である。本発明のインク組成物は、０．１〜２０ｗｔ％の、好ましくは、０．５〜１０ｗｔ％、２〜１０ｗｔ％、又は５〜１０ｗｔ％の、有機ホスホン酸を含む。
【００４４】
【実施例】
説明だけの目的で、且つ限定のためではなく、本発明の代表的インク組成物を以下に表１で説明する（全ての値は、別途指定がない限り、重量パーセントである）。
【００４５】
表１
成分                              インク１      インク２
アルキルジオール                  １１．２５    １１．２５
ＥＤＴＡナトリウム塩                ０．１０      ０．１０
Ｄｅｑｕｅｓｔ  ２０５４            ０            １．０
緩衝剤                              ０．１５      ０．１５
染料                                １．３        １．３
殺生物剤                            ０．２        ０．２
水                                  バランス      バランス
ｐＨ１                                ７．５        ７．５
６ペンの印刷及び６診断後の
パドリングに起因して詰まった
ノズル数                            ８４８        ２
１ｐＨは、十分な量のＫＯＨを添加することにより調節した。
【００４６】
インク１及び２は、両方とも、添加物：有機ホスホン酸  Ｄｅｑｕｅｓｔ  ２０５４のカリウム塩以外は同一組成を有する。
【００４７】
粒子を解こう（膠）し、解凝しそして分散させるポリリン酸塩及び有機ホスホン酸塩の能力は、よく知られており且つ広く利用されている。これらの高荷電陰イオン（ｈｉｇｈｌｙ  ｃｈａｒｇｅｄ  ａｎｉｏｎｓ）をもつ小濃縮物は、表面上に強力に吸収される。１−ヒドロキシエチリデン−１，１−ホスホン酸は、インクジェットプリンタの休止時における配管及びノズルの抗閉塞剤（ａｎｔｉ−ｃｌｏｇｇｉｎｇ  ａｇｅｎｔ）として日本特許（ＪＰ  ０３１９３３５７）に権利請求されたものである。何らかの特定理論に拘束されることを願うまでもなく、有機ホスホン酸は、ノズル及びオリフィス板の表面に吸収され、それによって、「パドリング」に帰着するところの、インクのさらなる蓄積を防ぐものと思われる。
【００４８】
結論
表１においてインク組成物に有機ホスホン酸の塩を使用することでプリントヘッドノズルの閉塞が排除されることが示された。本発明のインク組成物は、また、プリントイメージの品質を最高にするよう設計されている。有機ホスホン酸は、本発明のインク組成物にとって適切な薬剤である。有機ホスホン酸は、優れたキレート化剤としても知られている。キレート化剤は、金属イオンと安定な水溶性錯体を形成し、且つそれによって溶液中の不必要な金属を捕獲し且つ保持するものである。この文脈において、有機ホスホン酸は、垢（スケール）生成及び腐食のポピュラーな抑止剤である。例えば、ＨＥＤＰ及びＤＴＰＭＰは、それぞれ、高含量のカルシウム及び重金属を含むところの、系における効果的なキレート化剤である。
【００４９】
よって、本発明の利点は、パドリングが低減し且つ有機ホスホン酸の既知のキレート化特性が結合される時に際立って強調される。本発明のその他の実施態様は、本明細書に開示された本発明の仕様又は実践を考慮すれば当業者に明らかとなろう。その仕様並びに実施例は専ら例示としてのみ考慮されるべきであり、本発明の真の範囲は前出の請求範囲によって表示されるものとする。